(57)【要約】本発明の緊急避難システムは、避難装置と中空ドアとを有する。避難装置の大部分がドアの内部空間内に収納される。避難装置にアクセスする為に、ドアの一部が取り外し可能である。避難装置はコードと解放機構とを有する。この解放機構は、コードにつり下げられた人の降下速度を制御する。
2006511251.tif 000002
【特許請求の範囲】
【請求項１】
（Ａ）  避難装置と
（Ｂ）  内部容積を有する中空ドアと
を有し
（ｉ）  前記避難装置の大部分が、前記内部容積内に収納され
（ｉｉ）  前記ドアの一部が、前記避難装置へアクセスできるよう取り外し可能である
ことを特徴とする緊急避難システム。
【請求項２】
前記避難装置は、前記内部容積内に全部が収納可能である
ことを特徴とする請求項１記載の緊急避難システム。
【請求項３】
前記避難装置は、前記ドア内に隠される
ことを特徴とする請求項１記載の緊急避難システム。
【請求項４】
前記ドアは、第１の主要パネルと第２の主要パネルを有する
ことを特徴とする請求項１記載の緊急避難システム。
【請求項５】
前記第１の主要パネルと第２の主要パネルは平行である。
ことを特徴とする請求項４記載の緊急避難システム。
【請求項６】
前記ドアは、第１主要パネルと第２主要パネルとを有し、前記第１使用パネルは、前記避難装置へのアクセスができるよう前記ドアの残りの部分から取り外し可能である
ことを特徴とする請求項１記載の緊急避難システム。
【請求項７】
前記ドアは、前記ビルに適合されたときに、前記ドアが水平方向に開くことができるよう少なくとも一個のヒンジを用いて前記ビルに固定される。
ことを特徴とする請求項１記載の緊急避難システム。
【請求項８】
前記ドアは、前記部分が前記ドアの残りの部分から取り外し可能なように構成された固定装置を有する
ことを特徴とする請求項１記載の緊急避難システム。
【請求項９】
前記ドアは、強化されている
ことを特徴とする請求項１記載の緊急避難システム。
【請求項１０】
前記避難装置はコードを含む
ことを特徴とする請求項１記載の緊急避難システム。
【請求項１１】
前記避難装置は、前記コードを前記ドア内に使用できるような収納装置を有する
ことを特徴とする請求項１０記載の緊急避難システム。
【請求項１２】
前記収納装置は、スプールを有する
ことを特徴とする請求項１１記載の緊急避難システム。
【請求項１３】
前記収納装置は、前記コードを前記ドアに固定する少なくとも一個のホルダーを有し
前記少なくとも一個のホルダーは、前記コードが使用されないときには前記ドアに接続維持され、前記コードが必要なときには前記コードは前記ドアから容易に取り出せるよう十分な強さを有する
ことを特徴とする請求項１１記載の緊急避難システム。
【請求項１４】
前記コードは、耐火炎性である
ことを特徴とする請求項１０記載の緊急避難システム。
【請求項１５】
前記避難装置は、前記コードに沿って人が降下できる速度を制御できるよう構成された解放機構を有する
ことを特徴とする請求項１０記載の緊急避難システム。
【請求項１６】
前記避難装置は、少なくとも一個の保持装置を有し、前記保持装置は前記コードに接続可能である
ことを特徴とする請求項１０記載の緊急避難システム。
【請求項１７】
前記避難装置は、一回の避難時に連続的に複数回使用できるよう構成されている
ことを特徴とする請求項１記載の緊急避難システム。
【発明の詳細な説明】
【技術分野】
【０００１】
本発明は、緊急避難システムに関し、特に、ドアの中に自動避難装置の収納することに関する。
【背景技術】
【０００２】
まず前置きとして、人がビルから降りることのできる避難装置においては、避難装置がビルの壁の外側あるいは内側内に確実に搭載されていることが必要である。避難装置は、通常窓又はバルコニーの上あるいはその近くに配置される。この配置／搭載方法には幾つかの問題点がある。第１に、全ての壁がこの様な搭載／配置に適してはおらず、その為にこの装置の配置場所が制限される点である。第２に、この種の搭載は高価である。第３に、避難装置の収納箱が目障りである。第４に、避難装置が壁の内側に搭載される場合には、この装置が貴重な壁のスペースを占有することになる。第５に、避難装置が局部的に配置されと、この装置は通常ビルの別の窓では使用できない点である。
【発明の開示】
【発明が解決しようとする課題】
【０００３】
それ故に様々な場所に簡単かつ費用をかけずに搭載／配置でき、自動緊急装置を小型にし目立たずに収納でき、かつビルの全ての緊急避難口から使用可能な避難システムが必要とされている。
【課題を解決するための手段】
【０００４】
本発明は、緊急避難システムとその操作方法を提供する。
【０００５】
本発明の教示によれば、本発明の緊急避難システムは、（Ａ）避難装置と、（Ｂ）内部容積を有する中空ドアとを有し、（ｉ）避難装置の大部分が、内部容積内に収納され、（ｉｉ）ドアの一部が、避難装置へアクセスできるよう取り外し可能である。
【０００６】
本発明の更なる特徴によれば、避難装置は内部容積内に全部が収納可能である。
【０００７】
本発明の更なる特徴によれば、避難装置はドア内に隠される。
【０００８】
本発明の更なる特徴によれば、ドアは第１の主要パネルと第２の主要パネルを有する。
【０００９】
本発明の更なる特徴によれば、第１の主要パネルと第２の主要パネルは平行である。
【００１０】
本発明の更なる特徴によれば、ドアは、第１主要パネルと第２主要パネルとを有し、第１使用パネルは、避難装置へのアクセスができるようドアの残りの部分から取り外し可能である。
【００１１】
本発明の更なる特徴によれば、ドアはビルに適合されたときに、ドアが水平方向に開くことができるよう少なくとも一個のヒンジを用いてビルに固定される。
【００１２】
本発明の更なる特徴によれば、ドアは一部がドアの残りの部分から取り外し可能なように構成された固定装置を有する。
【００１３】
本発明の更なる特徴によれば、ドアは強化されている。
【００１４】
本発明の更なる特徴によれば、避難装置はコードを含む。
【００１５】
本発明の更なる特徴によれば、避難装置はコードをドア内に使用できるような収納装置を有する。
【００１６】
本発明の更なる特徴によれば、収納装置はスプールを有する。
【００１７】
本発明の更なる特徴によれば、収納装置はコードをドアに固定する少なくとも一個のホルダーを有し少なくとも一個のホルダーは、コードが使用されないときにはドアに接続維持され、コードが必要なときにはコードはドアから容易に取り出せるよう十分な強さを有する。
【００１８】
本発明の更なる特徴によれば、コードは耐火炎性である。
【００１９】
本発明の更なる特徴によれば、避難装置はコードに沿って人が降下できる速度を制御できる。
【００２０】
本発明の更なる特徴によれば、避難装置は少なくとも一個の保持装置を有し、保持装置はコードに接続可能である。
【００２１】
本発明の更なる特徴によれば、避難装置は一回の避難時に連続的に複数回使用できるよう構成されている。
【実施例】
【００２２】
本発明は、緊急避難システムとその操作方法である。
【００２３】
本発明の緊急避難システムの原理と動作を図面を参照して以下説明する。
【００２４】
図１を参照すると、本発明の一実施例により構成され動作する緊急避難システム１２が配備されたアパート１０の平面図が示されている。多くの事務所、家あるいはアパートは少なくとも１つのドア１４を有し、このドア１４は強化された出入口１６内に配置される。本発明の多くの実施例においては、ドア１４も強化されている。通常ドア１４が、出入口１６に適合する（嵌められる）時には、ドア１４は自分にかかる非常に強い力に耐えるよう設計されている。強化された出入口１６は、通常強化コンクリートフレーム、金属フレーム、あるいはそれらの組み合わせから構成される。その為、自動避難装置１８をドア１４内に搭載することは幾つかの点で利点がある。第１に、自動避難装置１８は、以下に説明するように、ドア１４内に容易にかつ確実に組み込むことができる点である。更に、ドア１４はその中に自動避難装置１８を既に組み込んで販売することができ、それ故に通常のドアを出入口１６に搭載できる作業員は誰でも、自動避難装置１８を搭載できるため、設置コストを下げることができる。
【００２５】
第２に、ドア１４は、その側面に設けられている少なくとも２個のヒンジ２０を介して出入口１６に確実に取り付けることができる。その為ドア１４は、自動避難装置１８をその中に搭載する中央係止（アンカー）ポイントとして機能する。しかも、ドア１４は、従来のドアと同様に動作し水平方向に開くことができる。第３に、ドア１４内に組み込まれた自動避難装置１８は、自動避難装置１８のコード（ひも）４４を開口である窓２２のいずれか１つに通すことにより、複数の開口である窓２２ですぐに利用可能である。自動避難装置１８は、全ての開口即ち窓２２に到達するよう、十分長く構成されている。更に、自動避難装置１８は、ドア１４から容易に取り出せ、自動避難装置１８によりビルから素早く避難できるようになり、信頼性がある。これに関して図４を参照のこと。
【００２６】
第４に、自動避難装置１８が使用されていない時には、自動避難装置１８はドア１４により隠されている。第５に、自動避難装置１８はドア１４内に収納されているために自動避難装置１８はビル内で利用可能なスペースを浪費することはない。ドア１４は、標準のドアと同じ深さ（通常４ｃｍ以上）を有する。
【００２７】
図２を参照すると、同図は緊急避難システム１２の展開斜視図である。緊急避難システム１２は、自動避難装置１８と中空のドア１４を有する。ドア１４は内部容積２４を有する。自動避難装置１８は、完全に内部容積２４内に収納される。それ故に、自動避難装置１８はドア１４内に隠される。ドア１４は、主要パネル２８と、主要パネル３０と、複数のサイドパネル３２を有する。主要パネル２８と主要パネル３０は、通常金属製シートから形成される。サイドパネル３２は、サイドパネル３２が主要パネル２８にほぼ直交するように主要パネル２８の端部に機械的に取り付けられる。サイドパネル３２は、通常主要パネル２８に溶接される。
【００２８】
別の構成として、サイドパネル３２は主要パネル２８と一体部材として形成される。主要パネル２８と主要パネル３０は平面状であるとして説明するが、これは主要パネル２８と主要パネル３０の大部分が平面状と言う意味である。主要パネル２８と主要パネル３０は、ドア１４が組み立てられた時には平行となる。主要パネル３０あるいは少なくともその一部は、ドア１４の残りの部分から取り外し可能なように構成され、これにより自動避難装置１８にアクセスができるようになる。ドア１４は固定装置３４を有し、この固定装置３４により、主要パネル３０あるいは少なくともその一部を、簡単かつ素早い動作でドア１４の残りの部分から取り外すことができる。
【００２９】
固定装置３４は、通常ボルト３８と固定部材４０を有する。ボルト３８の一端は、ボルト３８の長軸方向が主要パネル２８に直交するよう、ドア１４の内側に溶接される。主要パネル３０はドア１４に固定されるが、その固定方法は、ボルト３８の溶接されていない他端をドア１４の穴３６に通し、その後ボルト３８に固定部材４０を固定することにより行う。その為主要パネル３０は、ボルト３８から固定部材４０を取り外して、固定部材４０の残りの部分から解放される。当業者に明らかなように、ボルト３８は様々な形態に構成可能である。一例として固定装置３４はレバー動作機構として実施でき、これによりレバーを回すことにより、主要パネル３０をドア１４の残りの部分から解放する。ドア１４は、通常複数の補強部材４２により強化される。補強部材４２は通常鉄製である。補強部材４２は、主要パネル２８をサイドパネル３２に溶接することにより、あるいはボルト締めにより機械的に固定される。
【００３０】
当業者に明らかなように、ドア１４は、自動避難装置１８をその中に収納できるような内部容積を有する中空のドアを形成するような様々な方法で製造される。自動避難装置１８は、コード４４と解放機構４６と２個の保持装置５０，５２を有する。コード４４の直径は、通常８−１２ｍｍの範囲にある。コード４４は、通常金属より線を含む織ったケーブルから構成される。コード４４は通常耐火炎性である。解放機構４６は、コード４４に沿って下降している人の下降量／速度を制御するよう構成される。解放機構４６による下降速度は、毎秒１−５ｍの範囲にある。解放機構４６による最適の下降速度は、通常毎秒２−２．５ｍの範囲である。下降速度は、解放機構４６により下降する人の体重に依存しない。
【００３１】
解放機構４６は、複数のディスク（図示せず）とレバーシステム（図示せず）を含む摩擦装置（図示せず）を含む。このディスクは、レバーシステムにより互いの位置に保持される。コード４４はディスクの外側エッジを券回する。摩擦装置は、コード４４に沿って下降している人の予め設定した一定降下速度を維持するのに、ディスク間の距離を調整し、それによりディスク間にあるコード４４を締めたり緩めたりするレバーシステムにより行っている。ディスク間にあるコード４４の締め付け量／力は、そこに掛かる重さが増加すると増加し、又逆にもなる。解放機構４６は自動的に反転可能である。言い換えると、解放機構４６は、コード４４がどちらの方向に引かれても、下降速度を自動的に制御するよう構成されている。解放機構４６は、通常直径が２０ｃｍの円筒形状をしており、その深さは解放機構４６がドア１４の内部容積２４内に十分適合できる程度に小さい。
【００３２】
当業者には解放機構４６の製造方法は明らかである。解放機構４６は、通常金属製バー４８にボルト締めあるいは溶接で固定され、この金属製バー４８がドア１４内に固定される。金属製バー４８の端部は、通常サイドパネル３２に溶接される。コード４４は解放機構４６を介して供給される。保持装備５０は、コード４４の一端に接続され、保持装備５２がコード４４の他端に接続されている。緊急避難システム１２は、収納装置５４を有し、この収納装置５４は、コード４４をドア１４の内部容積２４内に収納するよう構成されている。収納装置５４は、コード４４が使用されてないときにはそれを小さくして収納している。本発明の最も好ましい実施例によれば、コード４４を主要パネル２８の上下に走らせることにより、ドア１４の主要パネル２８に当てて単一巻き５８の形態で構成される。コード４４は、その後１つあるいは複数のホルダー５６により主要パネル２８に機械的に取り付けられ、このホルダー５６は、コード４４が単一巻き５８の上部と底部で曲げられる場所に取り付けられる。ホルダー５６は、コード４４に機械的に固定されていてもいなくてもよい。
【００３３】
言い換えると、ホルダー５６は、コード４４が保持される主要パネル２８に取り付けられたループの形態を構成するように、形成される。ホルダー５６は、コード４４が使用されていない時には、コード４４をドア１４の主要パネル２８に取り付け保持しておく程度十分強い。しかしコード４４が必要となった時には、コード４４はドア１４の主要パネル２８から容易に解放される。ホルダー５６は、通常軟質プラスチック、ゴム、シリコン又は、他の柔軟性プラスチック材料から構成される。必要によっては例えば緊急避難システム１２が非常に大型ビル／高層ビルで使用される場合には、コード４４はドア１４内に長いコードを収納できるような多重巻きされる。当業者に明らかなように、ドア１４は従来公知の様々な避難装置を収納するよう構成され、例えばドア１４は、アプザイル装置あるいはロープ製のはしごを収納するよう構成することもできる。
【００３４】
次に図３を参照すると、同図は本発明の他の実施例により構成され動作する緊急避難システム６０の展開斜視図である。緊急避難システム６０は、緊急避難システム１２と同一構成であるが、但しこの緊急避難システム６０の収納構造は、ホルダー５６の代わりにスプール６２を含む。コード４４は使用されない時には、スプール６２上に券回されている。スプール６２は回転軸６４を有する。スプール６２は、通常スプール６２が回転軸６４を回転可能となるよう、溶接でバー４８に取り付けられる。
【００３５】
図４を参照すると、同図は緊急避難システム１２を用いた避難状況を示す。以下の説明は、３人の人がビル７０から本発明の緊急避難システム１２を用いて避難する状況を示す。避難する最初の人である人６６は、保持装置５０を装着する。人６６と解放機構４６との間にあるコード４４の緩みは、保持装置５２を有するコードの側を引くことにより取り除かれる。その後人６６は、位置７２でビル７０の窓６８から外に出る。人６６はコード４４をゆっくり解放する解放機構４６により保持装置５０に乗って下降する。人６６は位置７６を通り位置７８まで制御された方法により下降する。ビル７０から避難する２番目の人（図示せず）は保持装置５２を装着し、最初の人６６と同様に、ビル７０から避難する。保持装置５２を装着したこの２番目の人がビル７０から降下すると、保持装置５０は解放機構４６の方に移動する。それ故にビル７０から避難する３番目の人（図示せず）は、保持装置５０を装着し前の二人と同じ方法でビル７０から避難する。それ故に本発明の緊急避難システム１２は、一回の避難の間連続的に複数の人が使用できるよう構成されている。
【００３６】
本発明は上記の実施例に限定されるものではなく、本発明の範囲は上記した様々な特徴の全体の組み合わせあるいは部分的な組み合わせ及び本明細書に基づいて当業者が想到する変形例も本発明の範囲に入る。
【００３７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００３８】
【図１】本発明の一実施例により構成／動作する緊急避難システムを収納したアパートの平面図。
【図２】図１の緊急避難システムの展開斜視図。
【図３】本発明の他の実施例により構成／動作する緊急避難システムの展開斜視図。
【図４】図１の緊急避難システムを用いたビルからの避難状態を表す図。
【符号の説明】
【００３９】
１０  アパート
１２  緊急避難システム
１４  ドア
１６  出入口
１８  自動避難装置
２０  ヒンジ
２２  窓
２４  内部容積
２８  主要パネル
３０  主要パネル
３２  サイドパネル
３４  固定装置
３８  ボルト
４０  固定部材
４２  補強部材
４４  コード
４６  解放機構
４８  金属製バー
５０，５２  保持装備
５４  収納装置
５６  ホルダー
５８  単一層
６０  緊急避難システム
６２  スプール
６４  回転軸
６６  人
７０  ビル
７２，７６，７８  位置
【図１】
2006511251.tif 000003
【図２】
2006511251.tif 000004
【図３】
2006511251.tif 000005
【図４】
2006511251.tif 000006
【手続補正書】
【提出日】平成16年2月26日(2004.2.26)
【手続補正１】
【補正対象書類名】特許請求の範囲
【補正対象項目名】全文
【補正方法】変更
【補正の内容】
【特許請求の範囲】
【請求項１】
人が通る開口を有するビルから避難する緊急避難システムにおいて、
（ａ）  コードを有する避難装置と、
（ｂ）  人が通る開口に搭載可能となるよう構成された中空ドアと、
を有し、
前記避難装置は、人がつり下げられるコードの移動速度を制御するよう構成された解放機構を有し、これにより、人の降下速度を制御し、
前記中空ドアは、中空ドアの閉鎖空間内の前記避難装置を収納できる内部容積を有し、
前記中空ドアは、前記内部容積内に収納された避難装置にアクセスできるよう構成されている
ことを特徴とする緊急避難システム。
【請求項２】
前記ドアは、前記ビルに組み込まれた時に、前記ドアが水平方向に開くことができるよう、少なくとも一個のヒンジを用いて前記ビルに組み込む
ことを特徴とする請求項１記載の緊急避難システム。
【請求項３】
前記ドアは、強化されている
ことを特徴とする請求項１記載の緊急避難システム。
【請求項４】
前記避難装置は、前記コードを前記ドア内に収納できるような収納装置を有する
ことを特徴とする請求項１記載の緊急避難システム。
【請求項５】
前記収納装置は、スプールを有する
ことを特徴とする請求項４記載の緊急避難システム。
【請求項６】
前記収納装置は、前記コードを前記ドアに固定する少なくとも一個のホルダーを有し、
前記少なくとも一個のホルダーは、前記コードが使用されない時には前記ドアに接続維持され、前記コードが必要な時には、前記コードは前記ドアから容易に取り出せるよう十分な強さを有する
ことを特徴とする請求項４記載の緊急避難システム。
【請求項７】
前記コードは、耐火炎性である
ことを特徴とする請求項１記載の緊急避難システム。
【国際調査報告】
2006511251.tif 000007